(57)【要約】【課題】  濾過モジュールに付着した付着物を剥離した後に、剥離した付着物やスカムが再び濾過モジュールに付着してしまうのを極力防いで、濾過作業を再開したときの濾過効率をできるだけ当初の水準にまで復帰させて効率的な濾過を行うことが可能な濾過装置を提供する。【解決手段】  原水が導入、排出される濾過槽１内に、導入された原水を濾過する濾過モジュール３と、この濾過モジュール３から付着物を剥離する剥離手段４とを備えるとともに、濾過槽１内の濾過モジュール３の上方には、平面視において濾過モジュール３を覆うようにルーフ５を設ける。【選択図】        図１
2005125233.tif 000002
【特許請求の範囲】
【請求項１】
原水が導入、排出される濾過槽内に、導入された原水を濾過する濾過モジュールと、この濾過モジュールから付着物を剥離する剥離手段とが備えられるとともに、該濾過槽内の上記濾過モジュールの上方には、平面視において該濾過モジュールを覆うようにルーフが設けられていることを特徴とする濾過装置。
【請求項２】
上記ルーフは、板状部材の互いに反対側に位置する一対の側縁部の間を上向きに凸となるように曲折した形状とされていて、これら一対の側縁部は上記平面視において上記濾過モジュールよりも外側に位置するようにされるとともに、該一対の側縁部の端部同士を結ぶ上向きに凸となるように曲折した上記板状部材の他の一対の側縁部側は、上記一対の側縁部が延びる方向に開放されていることを特徴とする請求項１に記載の濾過装置。
【請求項３】
上記一対の側縁部には該側縁部に沿って樋状部が設けられるとともに、この樋状部にはその樋底に開口して上記濾過モジュールの外側に向け下方に延びる下降管が設けられていることを特徴とする請求項２に記載の濾過装置。
【請求項４】
上記濾過槽内からの上記原水の排出時に、上記濾過モジュールを洗浄するモジュール洗浄手段が備えられていることを特徴とする請求項１〜請求項３のいずれかに記載の濾過装置。
【請求項５】
上記モジュール洗浄手段は、上記ルーフの下面と上記濾過モジュールとの間に配設された散水管であることを特徴とする請求項４に記載の濾過装置。
【請求項６】
上記濾過槽内からの上記原水の排出時に、上記ルーフを洗浄するルーフ洗浄手段が備えられていることを特徴とする請求項１〜請求項５のいずれかに記載の濾過装置。
【請求項７】
上記ルーフ洗浄手段は、上記ルーフの上方に配設された散水管であることを特徴とする請求項６に記載の濾過装置。
【発明の詳細な説明】
【技術分野】
【０００１】
本発明は、濾過槽内に導入された原水を、該濾過槽内に収容された中空糸膜等からなる濾過モジュールによって濾過処理する濾過装置に関するものである。
【背景技術】
【０００２】
この種の濾過装置としては、例えば特許文献１に、被処理水（原水）を沈殿槽の中段に位置する取水口から導入するとともに、沈殿槽の上記取水口より上方には中空糸膜モジュール（濾過モジュール）を配設して該沈殿槽より下方に設置された処理水槽と連通し、そのヘッド差によって被処理水を濾過する一方、被処理水中の濁質は沈殿槽底部に堆積させてスラッジ取出口より取り出すようにしたものが提案されている。そして、この特許文献１に記載の濾過装置においては、連続して濾過を実施する場合に濁質の中空糸膜への付着、堆積が進行して処理能力が低下したときには、処理水槽の浄化水を中空糸膜モジュールに逆流させるとともに、エアコンプレッサーにより中空糸膜モジュールへ下方から気泡を当てて、中空糸膜モジュールの表面又は細孔に付着又は堆積した濁質（付着物）を剥離沈降させるようにしている。
【特許文献１】特開平６−２３８２７３号公報
【発明の開示】
【発明が解決しようとする課題】
【０００３】
ところで、このような濾過装置において、こうして濾過モジュールからの逆洗やエアコンプレッサーによって発生させられた気泡により、濾過モジュールに付着した付着物を剥離するようにした場合、剥離した付着物はその性状等にもよるが直ぐには沈降することはなく、濾過槽に保持された原水中を浮遊しながら徐々に沈降してゆくことになる。しかしながら、こうして付着物が徐々に沈降するうちには、その一部が再び濾過モジュールに付着してしまい、濾過作業を再開したときの濾過効率を当初の効率に近い水準にまで復帰させるのが困難となるおそれがあった。
【０００４】
また、特に濾過モジュールから剥離した付着物の中には、エアコンプレッサーにより濾過モジュールに気泡が当てられることとも相俟って、いわゆるスカムと称される浮き滓を生成して、濾過槽に保持された原水の水面部に浮上するものもある。しかるに、例えば上記特許文献１記載の濾過装置において沈殿槽底部に沈降、堆積した濁質や付着物をスラッジ取出口より取り出すときには、同時に濾過槽内の原水も抜き出されてしまうためにその水位が下降してしまうが、このとき原水の水面部に浮遊する上記スカムが濾過モジュールに再び付着してしまい、濾過効率を著しく損なうおそれもある。
【０００５】
本発明は、このような背景の下になされたもので、このように濾過モジュールに付着した付着物を剥離した後に、剥離した付着物やスカムが再び濾過モジュールに付着してしまうのを極力防いで、濾過作業を再開したときの濾過効率をできるだけ当初の水準にまで復帰させて効率的な濾過を行うことが可能な濾過装置を提供することを目的としている。
【課題を解決するための手段】
【０００６】
上記課題を解決して、このような目的を達成するために、本発明は、原水が導入、排出される濾過槽内に、導入された原水を濾過する濾過モジュールと、この濾過モジュールから付着物を剥離する剥離手段とを備えるとともに、該濾過槽内の上記濾過モジュールの上方には、平面視において該濾過モジュールを覆うようにルーフを設けたことを特徴とするものである。
【発明の効果】
【０００７】
従って、このように構成された濾過装置においては、濾過槽内の濾過モジュール上に配設されたルーフすなわち屋根によって平面視に濾過モジュールの上方が覆われているので、濾過モジュールからの逆洗や濾過モジュール下方から当てられた気泡により剥離した付着物が原水中で浮遊して沈降しても、濾過モジュールの上方から沈降する付着物については、このルーフにより遮られて平面視におけるルーフの外側、すなわち濾過モジュールの側方を沈降することとなるため、一旦濾過モジュールから剥離した付着物が再び濾過モジュールに付着してしまうのを抑制することができる。特に、濾過槽に保持された原水の水面部にスカムが生成されて浮上していても、濾過槽から原水を排出してその水位が下降したときには、スカムはルーフ上面にへばり付くように付着するので、その下の濾過モジュールに付着することがなく、従って濾過作業を再開するときには当該濾過モジュールによる濾過効率を当初の効率に極力近い水準にまで復帰させることができて、効率的でしかも経済的な原水の濾過を促すことが可能となる。
【０００８】
また、このルーフを、板状部材の互いに反対側に位置する一対の側縁部の間を上向きに凸となるように曲折した形状として、これら一対の側縁部を上記平面視において上記濾過モジュールよりも外側に位置させるとともに、該一対の側縁部の端部同士を結ぶ上向きに凸となるように曲折した上記板状部材の他の一対の側縁部側は、上記一対の側縁部が延びる方向に開放することにより、原水中に浮遊する剥離した付着物は、こうして上向き凸に曲折された板状部材よりなるルーフの上面に沿って上記一対の側縁部の少なくとも一方側に案内されて、確実に濾過モジュールの外側に沈降させられる。そして、その一方で該ルーフがなす板状部材の上記他の一対の側縁部側は開放されているので、例えば上述のように気泡を濾過モジュールの下方から当てて付着物を剥離する場合でも、この付着物を剥離した気泡は、図４で示すように開放された上記他の一対の側縁部側から排出されて浮上し、ルーフの下に空気がたまることはない。この気泡流に伴われて剥離した付着物も濾過モジュールとルーフの間から排出されるので、この濾過モジュール直上のルーフとの間に付着物が残って沈降することにより該濾過モジュールに再付着したりすることも防止することができる。
【０００９】
さらに、こうしてルーフを上向き凸に曲折した板状部材によって構成した場合には、上記一対の側縁部に該側縁部に沿って樋状部を設けるとともに、この樋状部にはその樋底に開口して上記濾過モジュールの外側に向け下方に延びる下降管を設けることにより、このルーフの上面に沿って案内された付着物や、原水排出時の水位低下に伴ってルーフ上面に付着したスカムは、板状部材の上記一対の側縁部に沿って設けられた樋状部に収容される。そして、さらにこれら付着物やスカムは、この樋状部から下方に延びる上記下降管を介して濾過モジュールの外側に排出されるので、該濾過モジュールへの付着物やスカムの再付着を一層確実に防止することができる。
【００１０】
なお、こうしてルーフを設けることにより上述のように濾過モジュールの上方から沈降する付着物やスカムが濾過モジュールに再付着するのは避けることができるが、原水中を浮遊する微小な付着物が例えば原水の排出時にある程度濾過モジュールに再付着することは避けられず、またこの原水排出時にルーフ上面にへばり付いたスカムはそのままとなってしまうおそれもある。そこで、本発明の濾過装置においては、上記濾過槽内からの原水の排出時に、上記濾過モジュールを洗浄するモジュール洗浄手段や上記ルーフを洗浄するルーフ洗浄手段を備えることが望ましく、これにより原水排出後に再び濾過槽内に原水を導入して濾過作業を再開するときには、一層高い濾過効率への復帰を図ることができる。また、こうして設けられるモジュール洗浄手段を、ルーフの下面と濾過モジュールとの間に配設された散水管とし、あるいはルーフ洗浄手段を、ルーフの上方に配設された散水管とすることにより、これら散水管から散水される洗浄水によって付着物やスカムを洗い流して原水とともに排出することができ、一層効率的である。
【発明を実施するための最良の形態】
【００１１】
図１〜図４は本発明の第１の実施形態を示すものである。本実施形態の濾過装置は、その濾過槽１が、濾過処理される原水Ｗが図示されない給水ポンプ等の導入手段によって導入される有底の筒状に形成されたケーシング２によって構成され、このケーシング２内に濾過モジュール３と剥離手段４とが収容されて備えられている。ここで、本実施形態ではケーシング２は、ステンレス等の耐蝕性の高い金属材などにより、平面視に長方形の矩形状をなし、かつその高さがこの矩形の長・短辺の長さに対して大きくされた縦長の有底矩形筒状、すなわち矩形の筒の底部が閉塞された形状とされていて、この底部を下向きにしてその高さ方向を鉛直縦方向に向け設置される。なお、ケーシング２の底部には、該ケーシング２内に保持された原水Ｗを排出するための図示されないドレン管等の排出手段が備えられている。
【００１２】
このような濾過槽１内に収容される上記濾過モジュール３は、例えば中空糸膜をスクリーン状に張ったエレメントや平膜状の分離膜を有するエレメントを多数積層したり、あるいは管状のセラミック膜エレメントを多数本束ねたりして、図示されないヘッダでまとめてモジュール化したものであって、個々の濾過モジュール３は、本実施形態では概略横長の直方体状をなしている。そして、本実施形態では同形同大のこのような濾過モジュール３が複数（図では３つ）、それぞれの長手方向に延びる一対の側面を水平かつ該側面の長辺をケーシング２が平面視になす矩形の長辺と平行にし、また濾過モジュール３同士ではこれらの側面を対向させて上下に整列するように並列に積層され、ケーシング２内に配設されている。ただし、図１、図４、次述する図５、および後述する図１２以外の図では、これら複数の濾過モジュール３はまとめて１つの直方体状に示されている。
【００１３】
こうして積層された複数の濾過モジュール３は、そのうち最上端の濾過モジュール３の上端部が図示のようにケーシング２の上端縁よりも十分下方に位置するようにされて、図２および図３に示すように複数の濾過モジュール３全体が、ケーシング２内に導入されて保持された原水Ｗ中に浸漬されるようになされている。また、上下に隣接する濾過モジュール３同士は、互いに密着させられていても、あるいは適当な間隔をあけるようにしてもよい。そして、各濾過モジュール３の上記ヘッダは、図示されない膜濾過水管を介して吸引ポンプに接続されており、濾過モジュール３によって原水Ｗから濾過された濾過水は、この吸引ポンプにより上記膜濾過水管を通して排出される。なお、本実施形態では直方体状の濾過モジュール３を横置きにして縦方向に並列に配設しているが、図５に示すように例えば平板状の平膜型濾過モジュール３をそれぞれ縦置きにして横方向に並列となるように、しかも複数列配設するようにしてもよい。また、平板でなく中空糸を縦方向に束ねたモジュールでもよく、設置するモジュールを制限するものではない。
【００１４】
一方、上記剥離手段４は、図１のみに示されて他の図では省略されているが、濾過槽１内の濾過モジュール３に向けて供給される流体によって該濾過モジュール３から付着物を剥離するものが用いられており、特に本実施形態ではケーシング２内にこの流体として空気を散気してその気泡を濾過モジュール３に当てることにより、該濾過モジュール３の表面に付着した付着物を剥離するようにされている。すなわち、この剥離手段４は、例えば多数の下向きに開口する空気孔を有して濾過モジュール３の下に配設される図１に示すような複数本の配管あるいは焼結管よりなる散気装置４Ａが、図示されない空気供給管を介してブロア等の空気供給源に接続された構成とされており、ケーシング２内に原水Ｗが保持された状態で、この空気供給源から供給された空気が空気供給管を通して散気装置４Ａの上記配管に設けられた空気孔あるいは焼結管に形成される細かい気孔から噴出させられることにより、その上方に位置する濾過モジュール３を散気によるエアスクラビングによって洗浄して付着物を剥離するようになされている。
【００１５】
そして、濾過槽１のケーシング２内において、上記濾過モジュール３の上方にはルーフ５が設けられており、このルーフ５は、図２および図３に示すようにケーシング２内に保持される原水Ｗ中に浸漬されるように設けられるとともに、上方からの平面視において上記濾過モジュール３を覆うようにされている。ここで、このルーフ５は、本実施形態ではステンレス等の金属材よりなる長方形の板状部材を、該板状部材の互いに反対側に位置する一対の側縁部５Ａ，５Ａの間が上向きに凸となるように断面逆Ｕ字状に曲折した形状とされている。さらに、これら一対の側縁部５Ａ，５Ａは上記平面視において上記濾過モジュール３よりも外側に位置するように、互いの間隔が図２に示すように濾過モジュール３の幅より大きくされるとともに、この側縁部５Ａの長さも図３に示すように濾過モジュール３の長さより長くされていて、これらによりルーフ５は上述のように平面視において濾過モジュール３を覆うようにされる。また、これらの側縁部５Ａ，５Ａは、上下方向においては、濾過モジュール３の上端部と略同じ高さあるいはこれより僅かに下方に位置するようにされている。
【００１６】
しかして、このルーフ５を構成する板状部材の上記一対の側縁部５Ａ，５Ａの端部同士を結ぶ他の一対の側縁部５Ｂ，５Ｂは、該ルーフ５の断面形状と同様に図２に示すように上向きに凸となるように逆Ｕ字状に曲折させられることとなって、ルーフ５のこれら他の一対の側縁部５Ｂ，５Ｂ側は、図１および図４に示すように上記一対の側縁部５Ａ，５Ａが延びる方向（図２においては図面に直交する方向、図３においては左右方向）に開放されることとなる。なお、これら他の一対の側縁部５Ｂ，５Ｂには、上記逆Ｕ字のうち上向きに凸曲させられた部分に、ルーフ５の上面に弧状に突出するようにして鍔型の壁部５Ｃが設けられている。
【００１７】
また、本実施形態では、原水Ｗがケーシング２内に保持された状態で濾過モジュール３から付着物を剥離して洗浄する上記剥離手段４のほかに、上記排出手段による原水Ｗの排出時において該濾過モジュール３を洗浄するモジュール洗浄手段６が設けられている。このモジュール洗浄手段６は、下向きに開口する多数のノズル孔を備えてルーフ５とその下の濾過モジュール３との間に配設される散水管６Ａによって構成されており、このような散水管６Ａが複数本（図では４本）、それぞれ上記一対の側縁部５Ａ，５Ａが延びる方向に平行に、かつルーフ５の断面がなす上記逆Ｕ字のうち上向きに凸曲させられた部分の下面に沿うように互いに間隔をあけて配設されている。そして、ケーシング２内の原水Ｗの排出時、すなわち原水Ｗの排出中または排出後に、これらの散水管６Ａに洗浄水や薬液等を供給して上記ノズル孔から濾過モジュール３に向けて散水することにより、該濾過モジュール３を洗い流して洗浄するようになされている。
【００１８】
さらに、本実施形態では、このような濾過槽１内からの原水Ｗの排出時に上記ルーフ５を洗浄するルーフ洗浄手段７も備えられている。このルーフ洗浄手段７も、本実施形態では上記モジュール洗浄手段６と同様に下向きに、開口する多数のノズル孔を備えて上記一対の側縁部５Ａ，５Ａが延びる方向に平行に延びる散水管７Ａによって構成されている。ただし、このルーフ洗浄手段７においては、本実施形態ではモジュール洗浄手段６より少ない１本の散水管７Ａが備えられているだけであって、このような散水管７Ａが、ルーフ５の断面がなす上記逆Ｕ字のうち上向きに凸曲させられた部分の突端の上方に間隔をあけるようにして配設されている。そして、このルーフ洗浄手段７でも、やはりケーシング２内の原水Ｗの排出中または排出後の排出時に、この散水管７Ａに洗浄水や薬液等を供給して上記ノズル孔からルーフ５に散水することによってルーフ５の上面を洗い流して洗浄するようになされている。
【００１９】
このように構成された濾過装置において、その濾過槽１のケーシング２内に上記導入手段によって導入された原水Ｗを濾過モジュール３によって濾過することにより、該濾過モジュール３の表面に原水Ｗ中の濁質等が付着物として付着して濾過効率が低下したときには、上記剥離手段４により本実施形態では散気装置４Ａから気泡を発生させてその上の濾過モジュール３に当て、エアスクラビングにより図６に示すように付着物Ｒを剥離させる。なお、この際には上記膜濾過水管を介して濾過モジュール３に空気あるいは濾過水を送り込んで逆洗をかけるようにしてもよい。そして、このとき濾過モジュール３の中空糸膜間を通って付着物Ｒを剥離させながら浮上した気泡は、濾過モジュール３の上のルーフ５の上記他の一対の側縁部５Ｂ，５Ｂ側が開放されているので、図４に白抜き矢線で示すようにこの開放された他の一対の側縁部５Ｂ，５Ｂ側から排出されてさらに浮上し、ケーシング２内に保持された原水Ｗの水面部にまで達して消泡する。
【００２０】
しかして、こうして濾過モジュール３から剥離した付着物Ｒは、その一部が気泡とともに濾過モジュール３上のルーフ５より上にまで巻き上げられるなどして原水Ｗ中に浮遊し、散気装置４Ａからの散気を終了した後は比重の大きいものが沈降してケーシング２の底部に堆積することとなるが、この際に上記構成の濾過装置においては、濾過モジュール３の上方にルーフ５が該濾過モジュール３を覆うように設けられているので、まずこのようにルーフ５の上に巻き上げられた付着物Ｒが沈降する際にはこのルーフ５によって遮られ、濾過モジュール３に再付着したりすることがない。このため、上記構成の濾過装置によれば、こうして付着物Ｒが沈降した後に濾過作業を再開するような場合でも、濾過モジュール３から剥離した付着物Ｒが再び濾過モジュール３に付着してその濾過効率を損なうような事態が生じるのを抑制することができる。
【００２１】
しかも、本実施形態ではこのルーフ５が板状部材を上向き凸に曲折した形状とされていて、ルーフ５上面が上記側縁部５Ａに向けて下降する傾斜面を有しているので、このルーフ５上に沈降した付着物Ｒもこの傾斜面に案内されるように側縁部５Ａから濾過モジュール３の外側を沈降させられてケーシング２底部に堆積することとなる。加えて、このルーフ５は、本実施形態ではその断面が上向きに逆Ｕ字をなして上記傾斜面が凸曲面状に形成されているので、ルーフ５上に沈降した付着物Ｒをより確実に案内して濾過モジュール３の外側に導くことができる。さらに、上記開放された側のルーフ５の側縁部５Ｂには壁部５Ｃが設けられているので、この開放された側から付着物Ｒがルーフ５と濾過モジュール３との間に入り込んで濾過モジュール３に再付着したりするのも避けることができる。
【００２２】
一方、こうして気泡によって濾過モジュール３表面から剥離した付着物Ｒの中には、この気泡を取り込んで結合することによりスカム（浮き滓）Ｓを生成して、沈降することなく原水Ｗの水面部に浮上して漂うものもある。また、剥離した付着物Ｒのうちでも比重の比較的小さいものは、沈降してケーシング２の底部に堆積することなく原水Ｗ中を浮遊して、濾過作業を再開したときに再び濾過モジュール３の表面に付着することになる。そこで、このように剥離手段４によって付着物Ｒを剥離した後に、図７〜図１１に示すように上記排出手段によって一旦ケーシング２３内の原水Ｗを剥離した付着物Ｒや上記スカムＳごと排出し、しかる後に新たな原水Ｗをケーシング２内に導入して濾過作業を行うようにしてもよい。
【００２３】
ここで、本実施形態では図７〜図９に示すように排出手段によってケーシング２内の原水Ｗを底部から排出すると、原水Ｗの水位が低下するに従いまずその水面部に浮遊していたスカムＳがルーフ５の上面に付着し、その一部は該上面がなす上記傾斜面に沿って濾過モジュール３の外側に案内されるものの、残りは図８および図９に示すようにルーフ５上面にこびりつくように付着したままとなる。また、このように濾過モジュール３の外側に案内されたスカムＳや原水Ｗ中に浮遊する剥離した付着物Ｒごと原水Ｗが排出されて水位がさらに低下すると、図９に示すようにこの付着物Ｒの一部等が濾過モジュール３に取り込まれて再付着することもある。
【００２４】
しかして、本実施形態では、この濾過槽１（ケーシング２）内からの原水Ｗの排出時に、濾過モジュール３を洗浄するモジュール洗浄手段６と、ルーフ５を洗浄するルーフ洗浄手段７とが備えられており、上述のようにスカムＳがルーフ５上面に付着したり付着物Ｒが濾過モジュール３に再付着しても、これらを洗浄して洗い流すことができる。すなわち、まず上記ルーフ洗浄手段７は本実施形態ではルーフ５の上方に配設された散水管７Ａであって、図１０に示すようにこの散水管７Ａから洗浄水を散水することにより、ルーフ５表面に付着したスカムＳを洗い流して除去することができる。なお、こうして洗い流されたスカムＳは、該ルーフ５上面の傾斜によって案内されて上記側面部５Ａから濾過モジュール３の外側を落下させられることとなる。
【００２５】
また、上記モジュール洗浄手段６も、本実施形態ではルーフ５の下面と濾過モジュール３との間に配設された散水管６Ａであり、図１０および図１１に示すようにこの散水管６Ａから洗浄水を散水することによって濾過モジュール３表面に再付着した付着物Ｒを洗い流して除去し、原水Ｗとともに排出することができる。なお、こうして散水管６Ａ，７Ａから洗浄水を散水するのに代えて、薬液等を散水するようにしてもよい。また、これらモジュール洗浄手段６やルーフ洗浄手段７による洗浄は、ケーシング２内からの原水Ｗの排出中の濾過モジュール３が未だ原水Ｗに浸漬されている状態で開始してもよいが、図９〜図１１に示されるように原水Ｗの水位が濾過モジュール３よりも下になったところで開始するのが望ましい。特に薬液散水を行う場合は、水位が濾過モジュール３よりも下である方が洗浄効果が高い。
【００２６】
従って、このように構成された濾過装置においては、ケーシング２内における濾過モジュール３の上方にルーフ５が設けられていて、このルーフ５により、上記剥離手段４による剥離後の付着物Ｒの沈降による再付着や原水Ｗの排出時におけるスカムＳ等の濾過モジュール３への付着が抑えられるので、その後に濾過作業を再開した際の該濾過モジュール３による濾過効率を、当初の効率に近い水準にまで復帰させることができる。このため、高い濾過効率を長期に亙って維持することができて、効率的で、なおかつ経済的な原水Ｗの濾過を図ることが可能となる。
【００２７】
また、特に本実施形態ではこのルーフ５が、板状部材の互いに反対側に位置する一対の側縁部５Ａ，５Ａの間を上向きに凸となるように曲折した形状とされていて、これら一対の側縁部５Ａ，５Ａが平面視において濾過モジュール３よりも外側に位置するように配設されており、従って剥離手段４による剥離後に沈降する付着物Ｒや原水Ｗの排出時に水位の低下に伴い降下するスカムＳは、このルーフ５が凸曲折することによってなす上面の傾斜面に案内されるようにして上記一対の側縁部５Ａ，５Ａ側から濾過モジュール３の外側を通って沈降、降下することとなる。このため、かかる沈降する付着物ＲやスカムＳが濾過モジュール３に再付着するようなことも極力防ぐことができ、濾過作業再開時の濾過モジュール３による濾過効率を一層確実に、しかもより当初の水準に近いレベルにまで復帰させることが可能となる。
【００２８】
その一方で、ルーフ５のこれら一対の側縁部５Ａ，５Ａの端部同士を結ぶ上記板状部材の上向き凸に曲折させられた他の一対の側縁部５Ｂ，５Ｂは、上記一対の側縁部５Ａ，５Ａが延びるルーフ５の側方に開放されているので、剥離手段４が上述のような散気装置４Ａによるものであって、気泡を発生させて濾過モジュール３に当てることにより付着物Ｒを剥離する場合であっても、この濾過モジュール３に当たって付着物Ｒを剥離した気泡を開放された上記他の一対の側縁部５Ｂ，５Ｂ側から速やかに排出させることができる。従って、例えばこうして濾過モジュール３に当たった気泡がルーフ５の下側に滞留してしまったり、剥離した付着物Ｒが濾過モジュール３とルーフ５との間に取り残されてしまったりするような事態を防止することができ、このように取り残された付着物Ｒの沈降による濾過モジュール３への再付着なども確実に抑制することが可能となる。
【００２９】
さらに、本実施形態の濾過装置には、上述のように原水Ｗの排出時に濾過モジュール３を洗浄するモジュール洗浄手段６が備えられており、万一このようにルーフ５と濾過モジュール３との間に付着物Ｒが取り残されてしまい、原水Ｗの排出時等にこれがそのまま沈降して濾過モジュール３に再付着してしまったとしても、このモジュール洗浄手段６によって濾過モジュール３を洗浄することによりこれを除去し、濾過作業を再開したときに濾過効率が損なわれるのを一層確実に抑えることが可能となる。しかも、本実施形態では、このモジュール洗浄手段６が、上記ルーフ５の下面と濾過モジュール３との間に配設された散水管６Ａによって構成されており、この散水管６Ａから洗浄水や薬液を散水することによって付着物Ｒが洗い落とされて濾過モジュール３が洗浄されるので、付着物Ｒを伴って除去した洗浄水や薬液を原水Ｗと一緒に排出することができ、一層効率的である。
【００３０】
一方、本実施形態の濾過装置には、この原水Ｗの排出時に上記ルーフ５を洗浄するルーフ洗浄手段７も備えられており、上述のように排出時の原水Ｗの水位低下に伴ってその水面部に浮上したスカムＳがルーフ５の上面に付着しても、該ルーフ洗浄手段７によってこれを洗浄して除去することにより、新たに原水Ｗをケーシング２内に導入して濾過作業を再開したときの濾過効率の低下を抑えることが可能となる。また、このルーフ洗浄手段７もルーフ５の上方に配設された散水管７Ａによって構成されているので、この散水管７Ａから洗浄水や薬液を散水してスカムＳを洗い落とすことにより原水Ｗとともに排出することができるとともに、特にこの散水管７Ａが上向きに凸に曲折された上記ルーフ５の突端に位置させられているので、本実施形態のように例えば上記モジュール洗浄手段６の散水管６Ａよりも少ない数の散水管７Ａでも確実にスカムＳ等を洗い流すことができて、一層効率的である。
【００３１】
ところで、本実施形態ではルーフ５が上述のように断面逆Ｕ字状とされ、その両側部が真っ直ぐ下向きに延びて、上記一対の側縁部５Ａ，５Ａにおいて濾過モジュール３の上端部と略同じ高さかこれよりも下方に位置するようにされているが、図１２および図１３に示す本発明の第２の実施形態のように、これらルーフ５の一対の側縁部５Ａ，５Ａに、該側縁部５Ａに沿って延びる樋状部５Ｄを設けるとともに、この樋状部５Ｄにはその樋底に開口して濾過モジュール３の外側に向けて下方に延びるように下降管５Ｅを設けるようにしてもよい。ここで、本実施形態におけるルーフ５は、その断面が上向きに凸となる円弧等の曲線をなすように方形の板状部材をその一対の側縁部５Ａ，５Ａ間で曲折した形状とされ、上記樋状部５Ｄは図１３に示すように、これらの側縁部５Ａ，５Ａが上記曲線に滑らかに連なって下向きに凸となる断面半円弧等の曲線をなすように曲折された形状とされている。
【００３２】
また、上記下降管５Ｅは一対の側縁部５Ａ，５Ａに設けられた樋状部５Ｄ，５Ｄのそれぞれに備えられていて、本実施形態では平面視にルーフ５の対角上に位置する樋状部５Ｄ，５Ｄの端部側に配設されており、その下端の位置は図１３に示すように濾過モジュール３の上端部よりも下側とされている。ただし、下降管５Ｅの設置場所は、樋状部５Ｄのどこであってもよく、一対が対角上に設置しなければならないものではない。さらに、樋状部５Ｄの両端は、下降管５Ｅの樋底への開口部よりも外側において、ルーフ５の上記壁部５Ｃから連続する略半円状の壁部５Ｆによって塞がれている。
【００３３】
従って、このように構成された第２の実施形態の濾過装置においては、剥離手段４による濾過モジュール３の付着物Ｒの剥離の際にルーフ５上に巻き上げられた後にルーフ５の上面に沈降した付着物Ｒや、原水Ｗの排出時に水位の低下に伴ってルーフ５上面に付着してルーフ洗浄手段７により洗浄されたスカムＳ等は、ルーフ５上面に傾斜によって上記一対の側縁部５Ａ，５Ａ側に流されてこの樋状部５Ｄ，５Ｄに収容され、さらにその樋底の上記下降管５Ｅから濾過モジュール３の外側を通ってケーシング２内の底部に沈降あるいは落下させられることとなる。このため、これら付着物ＲやスカムＳ等の濾過モジュール３への再付着を一層確実に防止することができ、濾過作業を再開したときの該濾過モジュール３による濾過効率をさらに当初の水準近くに復元することが可能となる。
【００３４】
なお、これら第１、第２の実施形態では、ルーフ５が断面逆Ｕ字状あるいは円弧状等とされて、その上面が曲面をなして上向きに凸となるようにされているが、例えば図１４および図１５にそれぞれ示す第３および第４の実施形態のように、ルーフ５の上面が平面状の傾斜面をなして上向きに凸となるようにされていてもよい。ここで、図１４に示す第３の実施形態ではルーフ５の上面が切り妻屋根状（断面「へ」字状）をなして上向きに凸となるようにされており、ルーフ洗浄手段７の散水管７Ａはこの上面の幅方向（図１４において左右方向）中央のルーフ５の突端の上方に配設されている。また、図１５に示す第４の実施形態ではルーフ５上面が一対の側縁部５Ａ，５Ａのうちの一方（図１５において右側の側縁部５Ａ）側から他方（図１５において左側の側縁部５Ａ）側に向けて漸次下降するように傾斜させられていて、散水管７Ａは上記一方の側縁部５Ａ側に位置するルーフ５突端上方に配設されている。
【００３５】
さらに、上記第１〜第４の実施形態では、濾過槽１が有底の筒状に形成されたケーシング２によって構成されている場合について説明したが、例えば上記特許文献１のように原水Ｗが導入される沈殿槽等に濾過モジュールおよび剥離手段が配設される場合には、この沈殿槽そのものを濾過槽１として上記濾過モジュールの上方にルーフを配設するようにしてもよい。また、これら第１〜第４の実施形態のように濾過槽１が有底筒状のケーシング２によって構成されていて、その内部に濾過モジュール３、剥離手段４、およびルーフ５が収容されている場合においても、これら実施形態のように給水ポンプ等の導入手段によって原水Ｗを該ケーシング２内に導入するのではなく、このケーシング２自体を原水Ｗが保持された沈殿槽等に浸漬して、その上部に開閉制御可能な導入口を設けたりすることにより、沈殿槽内の原水Ｗを直接的にケーシング２内に導入するようにしてもよい。
【図面の簡単な説明】
【００３６】
【図１】本発明の第１の実施形態を示す斜視透視図である。
【図２】図１に示す実施形態におけるルーフ５の一対の側縁部５Ａ，５Ａに直交する縦断面図である。
【図３】図１に示す実施形態におけるルーフ５の一対の側縁部５Ａ，５Ａに平行な縦断面図である。
【図４】図１に示す実施形態において剥離手段４による気泡が浮上する状態を示す斜視透視図である（ただし、図１に示す濾過装置を横側から見た等視図である。また、剥離手段４，およびモジュール洗浄手段６、ルーフ洗浄手段７の散水管６Ａ，７Ａ等は図示が略されている。）。
【図５】図１に示す実施形態における濾過モジュール３の変形例を示す斜視透視図である。
【図６】図１に示す実施形態において剥離手段４により濾過モジュール３表面の付着物Ｒを剥離した状態を示す縦断面図である。
【図７】図１に示す実施形態において剥離手段４により濾過モジュール３表面の付着物Ｒを剥離した後に原水Ｗを排出する状態を示す縦断面図である。
【図８】図１に示す実施形態において剥離手段４により濾過モジュール３表面の付着物Ｒを剥離した後に原水Ｗを排出する状態を示す縦断面図である。
【図９】図１に示す実施形態において剥離手段４により濾過モジュール３表面の付着物Ｒを剥離した後に原水Ｗを排出する状態を示す縦断面図である。
【図１０】図１に示す実施形態においてモジュール洗浄手段６およびルーフ洗浄手段７により洗浄を行う状態を示す縦断面図である。
【図１１】図１に示す実施形態においてモジュール洗浄手段６およびルーフ洗浄手段７により洗浄を行う状態を示す縦断面図である。
【図１２】本発明の第２の実施形態を示す斜視透視図である。
【図１３】図１２に示す実施形態におけるルーフ５の一対の側縁部５Ａ，５Ａに直交する縦断面図である。
【図１４】本発明の第３の実施形態を示す縦断面図である。
【図１５】本発明の第４の実施形態を示す縦断面図である。
【符号の説明】
【００３７】
１  濾過槽
２  ケーシング
３  濾過モジュール
４  剥離手段
４Ａ  散気装置
５  ルーフ
５Ａ  ルーフ５の一対の側縁部
５Ｂ  ルーフ５の他の一対の側縁部
５Ｄ  樋状部
５Ｅ  下降管
６  モジュール洗浄手段
６Ａ  モジュール洗浄手段６の散水管
７  ルーフ洗浄手段
７Ａ  ルーフ洗浄手段７の散水管
Ｗ  原水
Ｒ  付着物
Ｓ  スカム
【図１】
2005125233.tif 000003
【図２】
2005125233.tif 000004
【図３】
2005125233.tif 000005
【図４】
2005125233.tif 000006
【図５】
2005125233.tif 000007
【図６】
2005125233.tif 000008
【図７】
2005125233.tif 000009
【図８】
2005125233.tif 000010
【図９】
2005125233.tif 000011
【図１０】
2005125233.tif 000012
【図１１】
2005125233.tif 000013
【図１２】
2005125233.tif 000014
【図１３】
2005125233.tif 000015
【図１４】
2005125233.tif 000016
【図１５】
2005125233.tif 000017